【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
被検体から伝播する音響波を受信し、電気信号である受信信号に変換する複数の受信素子と、
前記受信信号を用いて、当該受信信号に応じて受信の指向性を調整する適応型ビームフォーミングを行う適応型ビームフォーミング手段と、
前記受信信号を用いて、予め定められた指向性を持つ整相加算型ビームフォーミングを行う整相加算型ビームフォーミング手段と、
前記適応型ビームフォーミング手段からの出力信号と、拘束ベクトルを用いて求めた信号強度と、に基づいて変調比率を計算する計算回路と、
前記適応型ビームフォーミング手段からの出力信号と、前記変調比率と、を用いて、前記整相加算型ビームフォーミング手段からの出力信号に振幅変調を行う振幅変調手段と、
前記振幅変調手段から出力された信号に基づいて、前記被検体内の画像データを生成する手段と、
を有することを特徴とする被検体情報取得装置。
【請求項２】
前記振幅変調手段は、時間に応じて変化する関数により補正した前記変調比率を用いて、前記振幅変調を行う
ことを特徴とする請求項１に記載の被検体情報取得装置。
【請求項３】
前記振幅変調手段は、単調増加関数により前記変調比率を補正する
ことを特徴とする請求項２に記載の被検体情報取得装置。
【請求項４】
前記振幅変調手段は、時間的に変化するパラメータを含む線形補間式により前記変調比率を補正する
ことを特徴とする請求項２に記載の被検体情報取得装置。
【請求項５】
前記振幅変調手段は、前記整相加算型ビームフォーミング手段からの出力信号を用いて、前記適応型ビームフォーミング手段からの出力信号に振幅変調を行う
ことを特徴とする請求項１に記載の被検体情報取得装置。
【請求項６】
前記複数の受信素子は一次元に配列されており、かつ、前記配列の方向に交差する方向
で機械的に移動した各位置において前記受信信号を生成し、
前記適応型ビームフォーミング手段および前記整相加算型ビームフォーミング手段は、前記各位置における受信信号にビームフォーミングを行なって出力信号を生成し、前記振幅変調手段は、前記各位置において振幅変調を行うものであり、
複数の位置において前記振幅変調手段により生成され出力された信号を用いて、前記配列の方向に交差する方向におけるビームフォーミングが行われる
ことを特徴とする請求項１ないし５のいずれか１項に記載の被検体情報取得装置。
【請求項７】
前記適応型ビームフォーミングは、ＤＣＭＰ法である
ことを特徴とする請求項１ないし６のいずれか１項に記載の被検体情報取得装置。
【請求項８】
前記被検体から伝播する音響波とは、前記被検体に送信された超音波のエコー波である
ことを特徴とする請求項１ないし７のいずれか１項に記載の被検体情報取得装置。
【請求項９】
前記被検体から伝播する音響波とは、前記被検体に電磁波が照射されたときに発生する光音響波である
ことを特徴とする請求項１ないし７のいずれか１項に記載の被検体情報取得装置。
【請求項１０】
被検体から伝播する音響波を受信した複数の受信素子から出力される受信信号に基づいて、前記被検体内の画像データを生成する情報処理装置であって、
前記受信信号を用いて、当該受信信号に応じて受信の指向性を調整する適応型ビームフォーミングを行う適応型ビームフォーミング手段と、
前記受信信号を用いて、予め定められた指向性を持つ整相加算型ビームフォーミングを行う整相加算型ビームフォーミング手段と、
前記適応型ビームフォーミング手段からの出力信号と、拘束ベクトルを用いて求めた信号強度と、に基づいて変調比率を計算する計算回路と、
前記適応型ビームフォーミング手段からの出力信号と、前記変調比率と、を用いて、前記整相加算型ビームフォーミング手段からの出力信号に振幅変調を行う振幅変調手段と、
を有することを特徴とする情報処理装置。
【請求項１１】
複数の受信素子により、被検体から伝播する音響波を受信し、電気信号である受信信号に変換するステップと、
前記受信信号を用いて、当該受信信号に応じて受信の指向性を調整する適応型ビームフォーミングを行う適応型ビームフォーミングステップと、
前記受信信号を用いて、予め定められた指向性を持つ整相加算型ビームフォーミングを行う整相加算型ビームフォーミングステップと、
前記適応型ビームフォーミングステップにおける出力信号と、拘束ベクトルを用いて求めた信号強度と、に基づいて変調比率を計算する計算ステップと、
前記適応型ビームフォーミングステップにおける出力信号と、前記変調比率と、を用いて、前記整相加算型ビームフォーミングステップにおける出力信号に振幅変調を行う振幅変調ステップと、
前記振幅変調された信号に基づいて、前記被検体内の画像データを生成する生成ステップと、
を有することを特徴とする被検体情報取得方法。
【手続補正２】
【補正対象書類名】明細書
【補正対象項目名】００１２
【補正方法】変更
【補正の内容】
【００１２】
本発明は以下の構成を採用する。すなわち、
被検体から伝播する音響波を受信し、電気信号である受信信号に変換する複数の受信素子と、 前記受信信号を用いて、当該受信信号に応じて受信の指向性を調整する適応型ビ
ームフォーミングを行う適応型ビームフォーミング手段と、 前記受信信号を用いて、予
め定められた指向性を持つ整相加算型ビームフォーミングを行う整相加算型ビームフォーミング手段と、前記適応型ビームフォーミング手段からの出力信号と、拘束ベクトルを用いて求めた信号強度と、に基づいて変調比率を計算する計算回路と、前記適応型ビームフォーミング手段からの出力信号と、前記変調比率と、を用いて、前記整相加算型ビームフォーミング手段からの出力信号に振幅変調を行う振幅変調手段と、 前記振幅変調手段か
ら出力された信号に基づいて、前記被検体内の画像データを生成する手段と、を有することを特徴とする被検体情報取得装置である。
【手続補正３】
【補正対象書類名】明細書
【補正対象項目名】００１３
【補正方法】変更
【補正の内容】
【００１３】
本発明はまた、以下の構成を採用する。すなわち、
被検体から伝播する音響波を受信した複数の受信素子から出力される受信信号に基づいて、前記被検体内の画像データを生成する情報処理装置であって、前記受信信号を用いて、当該受信信号に応じて受信の指向性を調整する適応型ビームフォーミングを行う適応型ビームフォーミング手段と、前記受信信号を用いて、予め定められた指向性を持つ整相加算型ビームフォーミングを行う整相加算型ビームフォーミング手段と、前記適応型ビームフォーミング手段からの出力信号と、拘束ベクトルを用いて求めた信号強度と、に基づいて変調比率を計算する計算回路と、前記適応型ビームフォーミング手段からの出力信号と、前記変調比率と、を用いて、前記整相加算型ビームフォーミング手段からの出力信号に振幅変調を行う振幅変調手段と、を有することを特徴とする情報処理装置である。
【手続補正４】
【補正対象書類名】明細書
【補正対象項目名】００１４
【補正方法】変更
【補正の内容】
【００１４】
本発明はまた、以下の構成を採用する。すなわち、
複数の受信素子により、被検体から伝播する音響波を受信し、電気信号である受信信号に変換するステップと、前記受信信号を用いて、当該受信信号に応じて受信の指向性を調整する適応型ビームフォーミングを行う適応型ビームフォーミングステップと、前記受信信号を用いて、予め定められた指向性を持つ整相加算型ビームフォーミングを行う整相加算型ビームフォーミングステップと、前記適応型ビームフォーミングステップにおける出力信号と、拘束ベクトルを用いて求めた信号強度と、に基づいて変調比率を計算する計算ステップと、前記適応型ビームフォーミングステップにおける出力信号と、前記変調比率と、を用いて、前記整相加算型ビームフォーミングステップにおける出力信号に振幅変調を行う振幅変調ステップと、前記振幅変調された信号に基づいて、前記被検体内の画像データを生成する生成ステップと、を有することを特徴とする被検体情報取得方法である。